【手続補正書】
【提出日】平成29年12月22日(2017.12.22)
【手続補正１】
【補正対象書類名】特許請求の範囲
【補正対象項目名】全文
【補正方法】変更
【補正の内容】
【特許請求の範囲】
【請求項１】
ネットワークを介してクライアント装置と接続し、かつローカル接続された表示装置と通信を行ってクライアント装置が生成するコンテンツをネットワーク越しに受信し、表示装置で表示させることが可能な中継装置であって、
前記クライアント装置と自身の接続状態に応じて所定の画面に順次切り替える画面スケジュールを複数保持しており、
クライアント装置で行われる表示装置用ドライバのプラグアンドプレイ開始に先立って、当該プラグアンドプレイの開始以降に表示装置に表示させる画面の画面スケジュールを、前記複数の画面スケジュールから選択する画面切り替え部と、
前記画面切り替え部により選択された画面スケジュールに従って表示装置に表示させる画面が特定の画面となった場合であって、かつ、前記クライアント装置から自身に送信されるデータが所定のデータ量を超えた場合に帯域制限部に通知する判断部と、
前記判断部からの通知を基に、前記所定のデータ量を超えたデータ送信に対し前記クライアント装置へ送信完了の応答を遅らせる帯域制限部と、
を備える中継装置。
【請求項２】
前記特定の画面は、中継装置が保有する１または複数の待機画面のいずれかである請求項１記載の中継装置。
【請求項３】
ネットワークを介してクライアント装置と接続し、かつローカル接続された表示装置と通信を行ってクライアント装置が生成するコンテンツをネットワーク越しに受信し、表示装置で表示させることが可能な中継装置であって、
前記表示装置に表示させる画面が、中継装置が保有する１または複数の待機画面のいずれかである場合であって、かつ、前記クライアント装置から自身に送信されるデータが所定のデータ量を超えた場合に帯域制限部に通知する判断部と、
前記判断部からの通知を基に、前記所定のデータ量を超えたデータ送信に対し前記クライアント装置へ送信完了の応答を遅らせる帯域制限部と、
を備える中継装置。
【手続補正２】
【補正対象書類名】明細書
【補正対象項目名】００１８
【補正方法】変更
【補正の内容】
【００１８】
クライアント装置１０１が、ネットワークを通じて、中継装置１００を経由して表示装置１０２と接続している。このシステムにおいて、クライアント装置１０１が再生する画像（動画でもよい）はネットワーク越しに中継装置１００へ送信され、表示装置１０２で表示される。クライアント装置１０１と中継装置１００間のネットワークは図１では無線ネットワークを図示しているが、有線ネットワークでもよい。さらに、中継装置１００とクライアント装置１０１間が無線ネットワークで接続されている場合は、直接通信するアドホックモードと、アクセスポイント装置などを介在したインフラストラクチャモードのいずれでもよい。また、中継装置１００に接続された表示装置１０２は、図１では１つの中継装置に１台であるが、１つの中継装置に複数の表示装置が接続され、複数のクライアント装置はそれぞれ別々の表示装置を切り替えて利用してもよい。
【手続補正３】
【補正対象書類名】明細書
【補正対象項目名】００４２
【補正方法】変更
【補正の内容】
【００４２】
表示装置１０２に待機画面Ｇ７０１が表示されているあいだ、ステップＳ７０１では、中継装置１００は起動ののち、接続されたデバイスの情報取得など、クライアント装置１０１からデバイスを利用可能となるための準備を行っている。
【手続補正４】
【補正対象書類名】明細書
【補正対象項目名】００４７
【補正方法】変更
【補正の内容】
【００４７】
また、ステップＳ７０３中に、中継装置１００では、自らが記憶する待機画面を表示する表示モードから、外部（クライアント装置）から送信される画像を表示する表示モードへ切り替わる際に、表示装置１０２に中継装置１００からデータを送信できない期間が生じ、この間表示装置１０２は黒画面表示（何も表示していない状態）になる。ステップＳ７０３が完了すると中継装置１００はクライアント装置１０１から送信される画像を表示できるようになり、画像Ｇ７０４に遷移する。
【手続補正５】
【補正対象書類名】明細書
【補正対象項目名】００６３
【補正方法】変更
【補正の内容】
【００６３】
まず、画像制御部６０３は、従来の中継装置１００の画像制御部４０３と同等の機能を有するものであるが、本発明ではさらに画面設定部６１０および画面切り替え部６１１を備えている。画像制御部６０３はＣＰＵ２００、ＲＯＭ２０１、ＲＡＭ２０２、記憶装置２０３、Ｉ／Ｆ＿ＩＣ２０４などにより実現される。
【手続補正６】
【補正対象書類名】明細書
【補正対象項目名】００７１
【補正方法】変更
【補正の内容】
【００７１】
図８は、本発明の実施の形態にかかる画像転送システムにおける中継装置１１０が表示装置に送信する画面の遷移図を示したものである。従来の中継装置１００が表示装置に送信する画面に遷移図（図７）と比較すると、本発明の実施の形態にかかる画像転送システムの中継装置１１０が表示装置１０２に送信する待機画面は、ユーザーの指示あるいは中継装置１１０に予め設定されている画面スケジュール番号に応じて異なる。希望する待機画面を表示装置１０２に表示させたいときに、ユーザーは、この画面スケジュール番号を接続ユーティリティ５０１で指示することになる。
（１）画面スケジュール番号０は、従来の中継装置１００が表示装置に表示させる画面スケジュールであり、待機画面Ｇ７０２、Ｇ７０３およびＧ７０５とクライアント装置から送信される画像Ｇ７０４で構成される。
（２）画面スケジュール番号１は、ユーザーが表示を指示したときにのみ表示装置にクライアント装置から送信される画像を表示させる画面スケジュールであり、待機画面Ｇ７０２、Ｇ７０３、Ｇ８１０およびＧ８１１で構成される。
（３）画面スケジュール番号２は、黒画面を表示するための画面スケジュールであり、待機画面Ｇ８００およびＧ８０１で構成される。
【手続補正７】
【補正対象書類名】明細書
【補正対象項目名】００７９
【補正方法】変更
【補正の内容】
【００７９】
また、画面スケジュール番号＝１を選択した場合に現われる待機画面Ｇ８１０は、ユーザーがクライアント装置１１１で行う操作中の画面を表示装置１０２に表示させたくない、あるいは意図的に特定の期間だけ画像を表示装置１０２に表示させたくないなどの理由で選択される待機画面である。「画像投影中」の状態で、待機画面Ｇ８１０が表示装置１０２に表示されているあいだは、クライアント装置１１１から中継装置１１０へは画像が送信されているが、表示装置１０２にはその画像の代わりに待機画面Ｇ８１０が表示されることにより、表示装置１０２の視聴者は待機画面Ｇ８１０を見ることになる。このようにユーザーの意図を考慮した適切な待機画面が表示装置１０２に表示される。
【手続補正８】
【補正対象書類名】明細書
【補正対象項目名】００８２
【補正方法】変更
【補正の内容】
【００８２】
画像投影中からユーザーが表示装置の使用を終了し、接続ユーティリティから切断要求を中継装置に送信すると、表示装置は画面スケジュール番号０、１、２に応じて、中継装置からそれぞれ異なる表示画面Ｇ７０５、Ｇ８１１、Ｇ８０１を受けて表示する。図７でＧ７０５について説明したのと同様、Ｇ８１１およびＧ８０１においても切断中であることを示す表示は直前の画面に重畳されて表示されている。ここでも画面スケジュール番号＝２を選択すると、表示モードの切り替えの瞬間、黒画面が現われるのを防止できる。